(57)【特許請求の範囲】
【請求項１】
構造物に取り付けた下地材と、
前記下地材の上部に固定される上枠材と、
前記下地材の下部に固定される下枠材と、
前記上枠材と前記下枠材との間に配置されるパネル材と、
前記上枠材または前記下枠材の少なくともいずれかに取り付けられる照明ボックスと、
を備えた照明付化粧パネルであって、
前記照明付化粧パネルの前面側に、複数の化粧材を配置した化粧領域と、前記化粧材の代わりに表示体を配置した表示領域と、を備え、
前記照明ボックスは、前記化粧材を背面側から照らす光源を備え、
前記パネル材の表面には、前記化粧材を固定するための取付金具が設けられ、
前記取付金具は、前記化粧材と前記パネル材との間に間隙が形成されるように前記化粧材を支持するとともに、前記複数の化粧材をそれぞれ独立して所定間隔を設けて支持することを特徴とする、照明付化粧パネル。
【請求項２】
前記上枠材または前記下枠材の少なくともいずれかに、前記照明ボックスを取り付けるための凹部が形成され、
前記凹部に臨むように、前記上枠材または前記下枠材の少なくともいずれかと前記パネル材との間に間隙部が形成され、
前記間隙部を使用して、前記照明ボックスに給電するためのケーブルを配線したことを特徴とする、請求項１記載の照明付化粧パネル。
【請求項３】
前記取付金具は、前記化粧材に固定される化粧取付部と、前記パネル材に固定されるパネル取付部と、パネル取付部と化粧取付部とをつなぐ中間部と、が一体で形成され、
前記中間部は、前記パネル材及び地面に対して垂直な板状であることを特徴とする、請求項１または２記載の照明付化粧パネル。
【請求項４】
前記照明ボックスは、前記光源の光を透過させる透明又は半透明の透光板を備えることを特徴とする、請求項１〜３のいずれか１項に記載の照明付化粧パネル。
【請求項５】
前記上枠材または前記下枠材の少なくともいずれかを長手方向に複数連結するための連結金具を備えることを特徴とする、請求項１〜４のいずれか１項に記載の照明付化粧パネル。
【請求項６】
前記化粧材は、前記パネル材に直接又は間接に固定される受部と、前記受部の前面に固定される化粧部と、を備えることを特徴とする、請求項１〜５のいずれか１項に記載の照明付化粧パネル。
【請求項７】
前記化粧部は、前記受部に嵌合固定されるものであり、
前記化粧部が前記受部から落下することを防止する落下防止手段を設けたことを特徴とする、請求項６記載の照明付化粧パネル。
【発明の詳細な説明】
【技術分野】
【０００１】
この発明は、例えば建物の上部、外壁やポールなどに使用可能な照明付化粧パネルに関する。
【背景技術】
【０００２】
照明付化粧パネルに関する技術として、例えば特許文献１には、壁面あるいは天井に設けた枠組みに隙間をあけて平行に複数の細長い矩形状装飾部材を組み合わせ、前記矩形状装飾部材の壁面側あるいは天井側に、間隔を置いて複数の発光箇所を設けた線状ＬＥＤモジュールを壁面側あるいは天井側に向かって発光するように組み込んだ構造が開示されている。このような構造によれば、壁面あるいは天井側への間接照明が可能となり、矩形状装飾部材と相俟って意匠性を向上させることができる。
【先行技術文献】
【特許文献】
【０００３】
【特許文献１】特開２０１４−６６０２８号公報
【発明の概要】
【発明が解決しようとする課題】
【０００４】
しかし、上記した特許文献１記載の構造では、矩形状装飾部材内にＬＥＤモジュールを組み込むため、作業の手間がかかるという問題があった。また、すべての矩形状装飾部材内にＬＥＤモジュールを組み込むため、コストがかかるという問題があった。
また、単に矩形状装飾部材を配置するだけではなく、例えば看板などの表示体を組み合わせて配置したいという要求もあった。
【０００５】
そこで、本発明は、化粧材と表示体とを組み合わせて配置して化粧材への間接照明を行うことができ、かつ、照明を設けるための作業コストや製造原価を低減することができる照明付化粧パネルを提供することを課題とする。
【課題を解決するための手段】
【０００６】
本発明は、上記した課題を解決するためになされたものであり、以下を特徴とする。
【０００７】
請求項１記載の発明は、構造物に取り付けた下地材と、前記下地材の上部に固定される上枠材と、前記下地材の下部に固定される下枠材と、前記上枠材と前記下枠材との間に配置されるパネル材と、前記上枠材または前記下枠材の少なくともいずれかに取り付けられる照明ボックスと、を備えた照明付化粧パネルであって、前記照明付化粧パネルの前面側に、複数の化粧材を配置した化粧領域と、前記化粧材の代わりに表示体を配置した表示領域と、を備え、前記照明ボックスは、前記化粧材を背面側から照らす光源を備え、前記パネル材の表面には、前記化粧材を固定するための取付金具が設けられ、前記取付金具は、前記化粧材と前記パネル材との間に間隙が形成されるように前記化粧材を支持するとともに、前記複数の化粧材をそれぞれ独立して所定間隔を設けて支持することを特徴とする。
【０００８】
請求項２に記載の発明は、上記した請求項１に記載の発明の特徴点に加え、前記上枠材または前記下枠材の少なくともいずれかに、前記照明ボックスを取り付けるための凹部が形成され、前記凹部に臨むように、前記上枠材または前記下枠材の少なくともいずれかと前記パネル材との間に間隙部が形成され、前記間隙部を使用して、前記照明ボックスに給電するためのケーブルを配線したことを特徴とする。
【０００９】
【００１０】
請求項３に記載の発明は、上記した請求項１または２に記載の発明の特徴点に加え、前記取付金具は、前記化粧材に固定される化粧取付部と、前記パネル材に固定されるパネル取付部と、パネル取付部と化粧取付部とをつなぐ中間部と、が一体で形成され、前記中間部は、前記パネル材及び地面に対して垂直な板状であることを特徴とする。
【００１１】
請求項４に記載の発明は、上記した請求項１〜３のいずれかに記載の発明の特徴点に加え、前記照明ボックスは、前記光源の光を透過させる透明又は半透明の透光板を備えることを特徴とする。
【００１２】
請求項５に記載の発明は、上記した請求項１〜４のいずれかに記載の発明の特徴点に加え、前記上枠材または前記下枠材の少なくともいずれかを長手方向に複数連結するための連結金具を備えることを特徴とする。
【００１３】
請求項６に記載の発明は、上記した請求項１〜５のいずれかに記載の発明の特徴点に加え、前記化粧材は、前記パネル材に直接又は間接に固定される受部と、前記受部の前面に固定される化粧部と、を備えることを特徴とする。
【００１４】
請求項７に記載の発明は、上記した請求項６記載の発明の特徴点に加え、前記化粧部は、前記受部に嵌合固定されるものであり、前記化粧部が前記受部から落下することを防止する落下防止手段を設けたことを特徴とする。
【発明の効果】
【００１５】
請求項１に記載の発明は上記の通りであり、照明付化粧パネルの前面側に、化粧材を配置した化粧領域と、化粧材の代わりに表示体を配置した表示領域と、を備える。よって、照明付化粧パネルの前面に化粧材と表示体とを組み合わせて配置することができる。また、照明ボックスは、化粧材を背面側から照らす光源を備えるので、化粧材への間接照明を行うことができ、意匠性の良い照明付化粧パネルを提供することができる。しかも、照明ボックスは上枠材または下枠材の少なくともいずれかに取り付けられるので、照明の取り付け作業も容易である。また、化粧材ごとに照明を設ける必要もないので、製造原価も抑制することができる。
【００１６】
また、請求項２に記載の発明は上記の通りであり、上枠材または前記下枠材の少なくともいずれかに、照明ボックスを取り付けるための凹部を形成した。このため、照明ボックスが外部から視認しづらくなるので、意匠性が向上する。しかも、凹部に臨むように、上枠材または下枠材の少なくともいずれかとパネル材との間に間隙部が形成され、間隙部を使用して、前記照明ボックスに給電するためのケーブルを配線した。このような構成によれば、ケーブルを通すための穴加工等が不要であるので、作業時間や加工コストを押さえることができる。また、ケーブルが外部に露出することもないので、意匠性が良い。
【００１７】
また、請求項１に記載の発明は上記の通りであり、パネル材の表面には、化粧材を固定するための取付金具が設けられ、取付金具は、化粧材とパネル材との間に間隙が形成されるように化粧材を支持する。このような構成によれば、化粧材がパネル材から浮いた状態となるので、化粧材の裏面から照明の光を当てたときに、できるだけ化粧材で照明を遮らずに光を行き渡らせることができる。これにより、１つの照明ボックスで複数の化粧材の間接照明を行うことができるので、作業コストや製造原価を抑制することができる。
【００１８】
また、請求項３に記載の発明は上記の通りであり、取付金具は、化粧材に固定される化粧取付部と、パネル材に固定されるパネル取付部と、パネル取付部と化粧取付部とをつなぐ中間部と、が一体で形成され、前記中間部は、前記パネル材及び地面に対して垂直な板状である。このような構成によれば、上下の照明ボックスから入ってくる光は、中間部の最小限の板厚でしか遮られないので、影や写りこみが発生しにくい。また、化粧材の裏面の間隙へ光が入り込み、化粧材が光で浮き出るようなデザインとすることができる。
【００１９】
また、請求項４に記載の発明は上記の通りであり、照明ボックスは、光源の光を透過させる透明又は半透明の透光板を備える。このような構成によれば、透光板によって光の調整が可能となる。例えば、透光板を使い分けることにより、構造物の高さ方向への寸法が相違しても化粧材面の照度分布を均等にすることができる。
【００２０】
また、請求項５に記載の発明は上記の通りであり、上枠材または下枠材の少なくともいずれかを長手方向に複数連結するための連結金具を備える。このような構成によれば、照明付化粧パネルの大きさや態様に合わせて、複数の枠材を連結金具で連結して使用することができる。例えば、照明ボックスを収納する枠材と照明ボックスを収納しない枠材とを連結する場合など、異なる形状の枠材を構造物の長手方向へ目違いを生じることなく連結することができる。また、連結金具を設けることで、連結部からの雨水等の侵入を抑制することができる。
【００２１】
また、請求項６に記載の発明は上記の通りであり、化粧材は、パネル材に直接又は間接に固定される受部と、受部の前面に嵌合固定される化粧部と、を備える。このような構成によれば、化粧部と受部が別体のため、化粧部のみを変更して容易にデザインの変更が行える。また、化粧部のみを変更すればよいため、金型の製作費を抑制することができる。
【００２２】
また、請求項７に記載の発明は上記の通りであり、化粧部は受部に嵌合固定されるものであり、化粧部が受部から落下することを防止する落下防止手段を設けた。このような構成によれば、化粧部を嵌合固定により容易に着脱することができる。また、落下防止手段が設けられているので、安全を確保することができる。
【図面の簡単な説明】
【００２３】
【図１】照明付化粧パネルの正面図である。
【図２】図１に示すＡ−Ａ線で切断した端面図である。
【図３】図１に示すＢ−Ｂ線で切断した端面図である。
【図４】図１に示すＣ−Ｃ線で切断した端面図である。
【図５】図１に示すＤ−Ｄ線で切断した端面図である。
【図６】上枠材付近の一部拡大断面図である。
【図７】上枠材の連結方法を示す斜視図である。
【図８】取付金具を使用して化粧材の取り付ける様子を示す一部拡大斜視図である。
【図９】変形例に係る取付金具を使用して化粧材の取り付ける様子を示す一部拡大斜視図である。
【発明を実施するための形態】
【００２４】
本発明の実施形態について、図を参照しながら説明する。
【００２５】
本実施形態に係る照明付化粧パネル１０は、壁面に取り付けて装飾的に使用することができるものであり、例えば建物５０の外壁に取り付けてパラペットサインとしたり、ポールの上に取り付けてポールサインとしたりすることができる。この照明付化粧パネル１０は、図１に示すように、化粧材３０を配置した化粧領域１０ｂと、化粧材３０の代わりに表示体４０を配置した表示領域１０ａと、を前面側に備えている。
【００２６】
化粧領域１０ｂは、均一な化粧材３０が等間隔で配置した矩形の領域である。この化粧領域１０ｂは、図１のＸ２の範囲やＸ４の範囲のように上下全域を化粧領域１０ｂとしてもよいし、Ｘ３の範囲やＸ５の範囲のように上下に分割して化粧領域１０ｂを設けてもよい。
【００２７】
また、表示領域１０ａは、化粧材３０の非配置領域に表示体４０を配置した矩形の領域である。この表示領域１０ａは、図１のＸ１の範囲やＸ６の範囲のように上下全域を表示領域１０ａとしてもよいし、Ｘ３の範囲やＸ５の範囲のように上下に分割した化粧領域１０ｂの間に表示領域１０ａを設けてもよい。
【００２８】
本実施形態においては、後述する上枠材１３及び下枠材１４で区画される矩形の領域は、化粧領域１０ｂまたは表示領域１０ａのいずれかに属するようになっている。
【００２９】
この照明付化粧パネル１０は、下地材１１と、上枠材１３と、下枠材１４と、パネル材１５と、パネル支持横枠１６と、パネル支持縦枠１７と、照明ボックス２０と、化粧材３０と、取付金具３５と、表示体４０と、連結金具と、を備える。
【００３０】
下地材１１は、枠材を固定するために建物５０の壁面に取り付けられるものである。この下地材１１は、図２に示すような接続金具１２を備えている。この接続金具１２は、上枠材１３及び下枠材１４を支持するために、下地材１１の上部及び下部の２箇所に取り付けられる。この接続金具１２は、図２等に示すような側面視略Ｌ字形であり、下地材１１から前方に突出した位置で上枠材１３及び下枠材１４を支持している。
【００３１】
上枠材１３は、下地材１１の上部に固定される中空部１３ｂを有するアルミ形材である。本実施形態においては、図２等に示すような形状のものと、図３等に示すような形状のものとの、２種類の上枠材１３を組み合わせて使用している。２種類の上枠材１３の違いは、照明ボックス２０（後述）を取り付けるための凹部１３ａを備えているか否かである。凹部１３ａは、図６に示すように、側面視で上枠材１３の後下部を切欠いたような形状となっており、凹部１３ａに照明ボックス２０を取り付けたときに、照明ボックス２０の下部と後部とが露出するようになっている。この２種類の上枠材１３は、図２等に示すように、後端面を接続金具１２に固定されて、前方に庇状に張り出して設けられている。
【００３２】
下枠材１４は、下地材１１の下部に固定される中空のアルミ形材である。この下枠材１４は、図２等に示すように、後端面を接続金具１２に固定されて、前方に庇状に張り出して設けられている。
【００３３】
パネル材１５は、上枠材１３と下枠材１４との間に配置されるアルミ樹脂複合のパネルである。このパネル材１５は、図３に示すように、上枠材１３と下枠材１４との間を１枚のパネル材１５で覆うようにしてもよいし、図５に示すように、上下に分割した複数枚のパネル材１５を配置してもよい。上下に分割した複数枚のパネル材１５を配置した場合、これら複数枚のパネル材１５の間に開口を形成することができる。また、図２に示すように、上枠材１３と下枠材１４との間にパネル材１５が配置されていない領域を形成してもよい。このパネル材１５は、図３〜５に示すように、パネル支持横枠１６を介して接続金具１２に固定されている。
【００３４】
パネル支持横枠１６及びパネル支持縦枠１７は、枠組みを形成してパネル材１５を背面から支持するためのものである。本実施形態においては、パネル支持縦枠１７は、図４に示すように、取付金具３５（後述）の取り付け位置の裏面においてパネル材１５を支持している。これにより、パネル材１５の負荷がかかる部位をパネル支持縦枠１７によって補強している。
【００３５】
照明ボックス２０は、上枠材１３及び下枠材１４に取り付けられる。なお、この照明ボックス２０は、少なくとも上枠材１３または下枠材１４の少なくともいずれかに取り付けられていればよく、上下どちらかの照明ボックス２０を省略してもよい。この照明ボックス２０は、図２に示すように、上枠材１３または下枠材１４が化粧材３０に臨んでいない範囲（図１におけるＸ１、Ｘ６の範囲）においては配置されておらず、図３〜５に示すように、上枠材１３または下枠材１４が化粧材３０に臨んでいる範囲（図１におけるＸ２〜５の範囲）に長手方向へ配置されている。これにより、内蔵した光源２１（本実施形態においてはＬＥＤで構成）によって化粧材３０を背面側から照らすことができるようになっている。光源２１としてＬＥＤを使用する場合、長尺の基板に複数のＬＥＤを実装し、かつ、この基板を長手方向に連結しても良い。基板を連結する際には、基板の端部が上下に重なるように連結することで、基板を隙間なく連結することができ、ＬＥＤの配設間隔も均一に保つことができるので、化粧材３０（後述）面への照度分布を均等にすることができる。
【００３６】
なお、この照明ボックス２０は、図３等に示すように、上枠材１３の凹部１３ａに嵌め込まれて取り付けられる。これにより、上枠材１３の下面から突出しないように配置されており、すっきりとした意匠を実現している。なお、図２に示すように、照明ボックス２０を取り付けない範囲では、凹部１３ａを備えていない上枠材１３が使用される。これにより、凹部１３ａを備えていない上枠材１３と、照明ボックス２０を取り付けた上枠材１３とが、ほぼ同一の外形となり、統一感を失わない外観となっている。
【００３７】
また、この照明ボックス２０は、下枠材１４においては、図３等に示すように、下枠材１４の上面に取り付けられる。これは、パラペットサインやポールサインに使用する場合には下枠材１４の上面は下側から視認できないため、照明ボックス２０を隠す必要がないためである。なお、この設置方法は一例であり、下枠材１４の上面に上枠材１３と同様の凹部を形成して、この凹部に照明ボックス２０を嵌め込んで取り付けてもよい。
【００３８】
この照明ボックス２０は、図６に示すように、光源２１の光を透過させる透明又は半透明の透光板２３を備えている。このため、光源２１の光は透光板２３を透過してパネル材１５と化粧材３０との間に導入され、化粧材３０を背面から照らすことになる。また、光源２１と透光板２３間は、図６に示すように適切な寸法に保たれている。適切な寸法とは、好ましくは１〜１０ｍｍ程度である。光源２１と透光板２３との間隔を適切に保つことで、透光板２３側から見ると光源２１が均等に分布され、化粧材３０（後述）面への照度分布を均等にすることができる。
【００３９】
なお、照明ボックス２０に給電するためのケーブル２２は、図６に示すように、上枠材１３とパネル材１５との間に形成された間隙部Ｓを使用して配線される。この間隙部Ｓは凹部１３ａに臨むように配置されているため、凹部１３ａに照明ボックス２０を嵌め込むと、照明ボックス２０のちょうど背面に間隙部Ｓが位置するようになっている。このため、ケーブル２２を間隙部Ｓに通すことができ、また、配線が外部に露出しないので意匠性が良い。
【００４０】
化粧材３０は、水平方向に配設される長尺材であり、本実施形態においては上下に複数の化粧材３０が一定間隔で配置されている。この化粧材３０は、図８に示すように、パネル材１５に固定される受部３１と、受部３１の前面に固定される化粧部３２と、を備える。そして、この受部３１と化粧部３２とが組み合わさることで、角柱状を形成するものである。
【００４１】
受部３１は、取付金具３５を介してパネル材１５に固定されるアルミ形材である。この受部３１は、取付金具３５に固定される平坦な基板部３１ａと、基板部３１ａの両端からほぼ直角に立ち上がる側板部３１ｂと、を備える。側板部３１ｂの外側面には、外側に突出した係合爪３１ｃが形成されている。
【００４２】
化粧部３２は、受部３１に嵌合固定されるアルミ形材である。この化粧部３２は、平坦な前面部３２ａと、前面部３２ａの両端からほぼ直角に形成された側面部３２ｂと、を備える。側面部３２ｂの内側面には、上記した係合爪３１ｃに係合する被係合部３２ｃが形成されている。このため、受部３１の側板部３１ｂを覆うように、化粧部３２の側面部３２ｂを外側から取り付け、受部３１と化粧部３２とを互いに押し付けると、係合爪３１ｃと被係合部３２ｃとが係合し、化粧部３２と受部３１とが嵌合固定されるようになっている。
【００４３】
なお、本実施形態においては、化粧部３２が受部３１から落下することを防止する落下防止手段３３を設けている。この落下防止手段３３は、図８に示すようなネジであり、受部３１の側板部３１ｂと化粧部３２の側面部３２ｂとを貫通するように取り付けられる。これにより、化粧部３２と受部３１との嵌合固定が確実となり、化粧部３２の落下が防止される。また、落下防止手段３３は、これに限らず、ワイヤー等を用いて化粧部３２と受部３１を連結してもよい。
【００４４】
なお、化粧部３２の表面は化粧材３０の化粧面となる。よって、化粧部３２を取り換えれば、容易に化粧領域１０ｂのデザインを変更することができる。また、化粧部３２の表面を塗装、アルマイト、シート貼りすることで意匠性を高めることができる。
また、特に図示しないが、化粧材３０の端部に小口フタを取り付けてもよい。
【００４５】
取付金具３５は、パネル材１５の表面に化粧材３０を固定するためのものである。この取付金具３５は、図８に示すように、パネル材１５に固定されるパネル取付部３５ａと、化粧材３０に固定される化粧取付部３５ｂと、パネル取付部３５ａと化粧取付部３５ｂとをつなぐ中間部３５ｃと、を備える。パネル取付部３５ａと化粧取付部３５ｂとは平行に形成されており、中間部３５ｃはパネル取付部３５ａ及び化粧取付部３５ｂに対して直角に形成されている。
【００４６】
パネル取付部３５ａには、取付ボルト３６を挿入するためのボルト孔３５ｄが貫通形成されている。取付金具３５をパネル材１５の表面に取り付ける際には、パネル取付部３５ａをパネル材１５に接面させ、ボルト孔３５ｄから挿入した取付ボルト３６をパネル材１５に螺着させて固定する。なお、ボルト孔３５ｄは、図４等に示すように、前面から投影したときに、化粧材３０に重ならない位置に設けられている。このため、施工後の取付金具３５の着脱も容易である。例えば、照明ボックス２０の交換等の際に化粧材３０を取り外す際には、取付ボルト３６を緩めることで取付金具３５を外し、これにより化粧材３０を着脱できるようになっている。
【００４７】
化粧取付部３５ｂは、化粧材３０の裏面にリベットで固定される。リベットで２箇所で固定することにより、化粧材３０の回転を防止している。本実施形態においては、工場組付けで化粧取付部３５ｂを化粧材３０に固定している。
【００４８】
この取付金具３５を化粧材３０及びパネル材１５に取り付けると、図６に示すように、中間部３５ｃが前方に延出し、化粧材３０とパネル材１５との間に間隙が形成されるように化粧材３０が支持される。このため、化粧材３０は、パネル材１５の前方に浮いているかのように視認される。このとき、中間部３５ｃは、上方から見たときの投影面積が最小となるように、地面に対して垂直となっている。このため、上下の照明ボックス２０から入ってくる光は、中間部３５ｃの最小限の板厚でしか遮られないので、影や写りこみが発生しにくい。また、化粧材３０の裏面の間隙へ光が入り込み、化粧材３０が光で浮き出るようにすることができる。
【００４９】
表示体４０は、何らかの情報を表示するためのものであり、例えば店名を表示するサイン等である。この表示体４０は、独自の照明を備えていてもよく、例えばバックライト式タイプの表示体４０や、内照式タイプの表示体４０を使用してもよい。この表示体４０は、図２に示すように接続金具１２に固定したベース材４０ａに固定してもよい。また、図３に示すようにパネル材１５の表面に固定してもよい。また、図５に示すように下地材１１に固定してパネル材１５の開口から突出させてもよい。
【００５０】
連結金具は、上枠材１３または下枠材１４の少なくともいずれかを長手方向に複数連結するためものである。本実施形態においては、図７に示すように、第１連結金具４５、第２連結金具４６、第３連結金具４７、の３つの連結金具を使用している。
【００５１】
第１連結金具４５は、上枠材１３の上面に使用される連結金具である。この第１連結金具４５は、隣り合う上枠材１３の接合箇所を覆うように取り付けられる。照明付化粧パネル１０をパラペットサインに使用した場合、上枠材１３の上面は視認できないので、第１連結金具４５が意匠性を損なうことはない。この第１連結金具４５を使用することで、上枠材１３を連結するとともに、接合部からの水の侵入等を防止することができる。
【００５２】
第２連結金具４６は、上枠材１３の中空部１３ｂに挿入される連結金具である。この第２連結金具４６は、隣り合う上枠材１３の接合箇所を跨ぐように取り付けられる。この第２連結金具４６は、上枠材１３の少なくとも一方が凹部１３ａを備えている場合に使用される。この第２連結金具４６を使用すれば、凹部１３ａを備えている上枠材１３と、凹部１３ａを備えていない上枠材１３と、のように断面が相違している枠材同士でも、上枠材１３の先端へ第２連結金具４６を挿入することにより両上枠材１３を連結することが可能である。
【００５３】
第３連結金具４７は、上枠材１３または下枠材１４の中空部１３ｂに挿入される連結金具である。この第３連結金具４７は、隣り合う枠材の接合箇所を跨ぐように取り付けられる。この第３連結金具４７は、凹部１３ａを備えていない枠材同士を接続するために使用される。
【００５４】
なお、この連結金具は、図７に示すように、両端の上枠材１３及び下枠材１４の端部にも挿入される。このように枠材の端部に連結金具を取り付けることで、連結金具に形成されたビスホール４６ａ，４７ａを使用して小口フタ４８を取り付けることができる。なお、端部に取り付ける連結金具は、接合箇所に取り付ける連結金具よりも短尺としてもよい。
【００５５】
上記したような構成を組み合わせることで、本実施形態においては、図１に示すような照明付化粧パネル１０を構成している。この照明付化粧パネル１０は、長手方向（左右方向）に見て複数の範囲（Ｘ１〜Ｘ６）に分割される。そして、それぞれの範囲において化粧材３０の配置本数が異なるようにし、化粧領域１０ｂと表示領域１０ａとの比率や態様が異なるようにしている。このため、様々な組み合わせで多様なデザインを実現することができ、複雑なデザインも可能となる。一方で、すべての範囲において化粧材３０の高さや間隔が統一されているため、複雑なデザインとした場合でも全体の統一感を失うことがない。
【００５６】
なお、上記では特に説明していないが、枠材や化粧材３０などの長尺材の両端部に水抜き用の孔を設けてもよい。
【００５７】
また、上記した実施形態とは異なる形状の取付金具３５を使用してもよい。例えば、図９に示すような、断面略Ｈ型の取付金具３５を使用しても、上記した実施形態と同様の効果を得ることができる。
【００５８】
以上説明したように、本実施形態によれば、照明付化粧パネル１０の前面側に、化粧材３０を配置した化粧領域１０ｂと、化粧材３０の代わりに表示体４０を配置した表示領域１０ａと、を備える。よって、照明付化粧パネル１０の前面に化粧材３０と表示体４０とを組み合わせて配置することができる。また、照明ボックス２０は、化粧材３０を背面側から照らす光源２１を備えるので、化粧材３０への間接照明を行うことができ、意匠性の良い照明付化粧パネル１０を提供することができる。しかも、照明ボックス２０は上枠材１３または下枠材１４の少なくともいずれかに取り付けられるので、照明の取り付け作業も容易である。また、化粧材３０ごとに照明を設ける必要もないので、製造原価も抑制することができる。
【００５９】
また、上枠材１３に照明ボックス２０を取り付けるための凹部１３ａを形成した。このため、照明ボックス２０が外部から視認しづらくなるので、意匠性が向上する。しかも、凹部１３ａに臨むように、上枠材１３とパネル材１５との間に間隙部Ｓが形成され、間隙部Ｓを使用して、照明ボックス２０に給電するためのケーブル２２を配線した。このような構成によれば、ケーブル２２を通すための穴加工等が不要であるので、作業時間や加工コストを押さえることができる。また、ケーブル２２が外部に露出することもないので、意匠性が良い。なお、照明付化粧パネル１０の設置場所によっては、下枠材１４に凹部１３ａや間隙部Ｓを形成してもよい。
【００６０】
また、パネル材１５の表面には、化粧材３０を固定するための取付金具３５が設けられ、取付金具３５は、化粧材３０とパネル材１５との間に間隙が形成されるように化粧材３０を支持する。このような構成によれば、化粧材３０がパネル材１５から浮いた状態となるので、化粧材３０の裏面から照明の光を当てたときに、できるだけ化粧材３０で照明を遮らずに光を行き渡らせ、化粧材３０が光で浮き出ることができる。これにより、１つの照明ボックス２０で複数の化粧材３０の間接照明を行うことができるので、作業コストや製造原価を抑制することができる。
【００６１】
また、取付金具３５は、化粧材３０に固定される化粧取付部３５ｂと、パネル材１５に固定されるパネル取付部３５ａと、パネル取付部３５ａと化粧取付部３５ｂとをつなぐ中間部３５ｃと、が一体で形成され、前記中間部３５ｃは、前記パネル材１５及び地面に対して垂直な板状である。このような構成によれば、上下の照明ボックス２０から入ってくる光は、中間部３５ｃの最小限の板厚でしか遮られないので、影や写りこみが発生しにくい。また、化粧材３０の裏面の間隙へ光が入り込み、化粧材３０が光で浮き出るようなデザインとすることができる。
【００６２】
また、照明ボックス２０は、光源２１の光を透過させる透明又は半透明の透光板２３を備える。このような構成によれば、透光板２３によって光の調整が可能となる。例えば、透光板２３を使い分けることにより、照明付化粧パネル１０の高さ寸法が相違しても化粧材３０面の照度分布を均等にすることができる。
【００６３】
また、上枠材１３または下枠材１４の少なくともいずれかを長手方向に複数連結するための連結金具を備える。このような構成によれば、照明付化粧パネル１０の大きさや態様に合わせて、複数の枠材を連結金具で連結して使用することができる。例えば、照明ボックス２０を収納する枠材と照明ボックス２０を収納しない枠材とを連結する場合など、異なる形状の枠材を建物５０の長手方向へ目違いを生じることなく連結することができる。また、連結金具を設けることで、連結部からの雨水等の侵入を抑制することができる。
【００６４】
また、化粧材３０は、パネル材１５に直接又は間接に固定される受部３１と、受部３１の前面に嵌合固定される化粧部３２と、を備える。このような構成によれば、化粧部３２と受部３１が別体のため、化粧部３２のみを変更して容易にデザインの変更が行える。また、化粧部３２のみを変更すればよいため、金型の製作費を抑制することができる。
【００６５】
また、化粧部３２は受部３１に嵌合固定されるものであり、化粧部３２が受部３１から落下することを防止する落下防止手段３３を設けた。このような構成によれば、化粧部３２を嵌合固定により容易に着脱することができる。また、落下防止手段３３が設けられているので、安全を確保することができる。
【符号の説明】
【００６６】
１０  照明付化粧パネル
１０ａ  表示領域
１０ｂ  化粧領域
１１  下地材
１２  接続金具
１３  上枠材
１３ａ  凹部
１３ｂ  中空部
１４  下枠材
１５  パネル材
１６  パネル支持横枠
１７  パネル支持縦枠
２０  照明ボックス
２１  光源
２２  ケーブル
２３  透光板
３０  化粧材
３１  受部
３１ａ  基板部
３１ｂ  側板部
３１ｃ  係合爪
３２  化粧部
３２ａ  前面部
３２ｂ  側面部
３２ｃ  被係合部
３３  落下防止手段
３５  取付金具
３５ａ  パネル取付部
３５ｂ  化粧取付部
３５ｃ  中間部
３５ｄ  ボルト孔
３６  取付ボルト
４０  表示体
４０ａ  ベース材
４５  第１連結金具
４６  第２連結金具
４６ａ  ビスホール
４７  第３連結金具
４７ａ  ビスホール
４８  小口フタ
５０  建物
Ｓ  間隙部
【図１】
0006689624.tif 000002
【図２】
0006689624.tif 000003
【図３】
0006689624.tif 000004
【図４】
0006689624.tif 000005
【図５】
0006689624.tif 000006
【図６】
0006689624.tif 000007
【図７】
0006689624.tif 000008
【図８】
0006689624.tif 000009
【図９】
0006689624.tif 000010